(57)【特許請求の範囲】
【請求項１】
直列腕および並列腕からなるラダー型の弾性表面波デバイスであって、
複数の一端子対弾性表面波共振子が直列に接続された共振子群が複数個並列に接続された構成であり、入力端子に最も近い並列腕として配置された第１の腕と、
単一の一端子対弾性表面波共振子からなり、前記第１の腕により構成されている以外の直列腕および並列腕としてそれぞれ配置された第２の腕とを有し、
前記第１の腕は、２つの一端子弾性表面波共振子が直列に接続された共振子群が２つ並列に接続された構成であり、
前記第１の腕を構成する４つの一端子弾性表面波共振子は同一特性である、弾性表面波デバイス。
【請求項２】
直列腕および並列腕からなるラダー型の弾性表面波デバイスであって、
複数の一端子対弾性表面波共振子が直列に接続された共振子群が複数個並列に接続された構成であり、前記各直列腕として配置された、少なくとも１つの第１の腕と、
単一の一端子対弾性表面波共振子からなり、前記第１の腕により構成されている以外の直列腕および並列腕としてそれぞれ配置された第２の腕とを有し、
前記第１の腕は、２つの一端子弾性表面波共振子が直列に接続された共振子群が２つ並列に接続された構成であり、
前記第１の腕を構成する４つの一端子弾性表面波共振子は同一特性である、弾性表面波デバイス。
【請求項３】
直列腕および並列腕からなるラダー型の弾性表面波デバイスであって、
複数の一端子対弾性表面波共振子が直列に接続された共振子群が複数個並列に接続された構成であり、入力端子に最も近い並列腕と、前記各直列腕として配置された、少なくとも２つの第１の腕と、
単一の一端子対弾性表面波共振子からなり、前記第１の腕により構成されている以外の直列腕および並列腕としてそれぞれ配置された第２の腕とを有し、
前記第１の腕は、２つの一端子弾性表面波共振子が直列に接続された共振子群が２つ並列に接続された構成であり、
前記第１の腕を構成する４つの一端子弾性表面波共振子は同一特性である、弾性表面波デバイス。
【請求項４】
直列腕および並列腕からなるラダー型の弾性表面波デバイスにおいて、
前記直列腕および前記並列腕の全てが、複数の一端子対弾性表面波共振子が直列に接続された共振子群が複数個並列に接続された構成であり、
前記直列腕および前記並列腕は、２つの一端子弾性表面波共振子が直列に接続された共振子群が２つ並列に接続された構成であり、
前記直列腕および前記並列腕を構成する４つの一端子弾性表面波共振子は同一特性である、弾性表面波デバイス。
【発明の詳細な説明】
【０００１】
【発明の属する技術分野】
本発明は、弾性表面波デバイスに関し、特に、複数の一端子対弾性表面波共振子を梯子型に接続した弾性表面波デバイスに関する。
【０００２】
【従来の技術】
近年、携帯電話等の移動体通信端末は小型化および高性能化が急速に進んでいる。移動体通信端末の小型化、高性能化に伴ってＲＦ部を小型化するために、弾性表面波デバイスの開発が期待されている。
【０００３】
移動体通信端末のＲＦ部の分波器には、１Ｗ〜数Ｗ程度の電力がかかるため、従来、耐電力性能の良い誘電体フィルタが主に使用されてきた。しかし、誘電体フィルタは体積が大きいため、移動体通信端末の小型化を阻害する要因となっていた。
【０００４】
そのため、現在では、８００ＭＨｚ帯の分波器においては、誘電体フィルタよりも小型化が可能な弾性表面波デバイスが用いられるようになってきた。
【０００５】
【発明が解決しようとする課題】
弾性表面波デバイスは複数の電極指を持った電極で構成されており、周波数が高い場合には電極指を細くする必要がある。そのため、１．５ＧＨｚ帯のような高い周波数では電極指形状が細いために、弾性表面波デバイスの耐電力性が低いという欠点があった。
【０００６】
例えば、移動体通信端末のＲＦ部で用いられる分波器は受信フィルタおよび送信フィルタを有している。弾性表面波デバイスで分波器の受信フィルタおよび送信フィルタを構成する場合、受信フィルタおよび送信フィルタのそれぞれにラダー型弾性表面波フィルタを用いることができる。図１９は、ラダー型表面弾性波フィルタの構成例を示す回路図である。図１９（ａ）のラダー型弾性表面波フィルタは、直列腕Ｓａ１、Ｓａ２および並列腕Ｐａ１、Ｐａ２、Ｐａ３からなる梯子型である。図１９（ｂ）のラダー弾性表面波フィルタは、直列腕Ｓｂ１、Ｓｂ２、Ｓｂ３および並列腕Ｐｂ１、Ｐｂ２からなる梯子型である。直列腕は、入力端子と出力端子の間に直列に配置されている。並列腕は、各直列腕の端子と基準電位との間に配置されている。
【０００７】
図１９(ａ)のラダー型弾性表面波フィルタでは、入力端の最も近くに並列腕がある。図１９（ｂ）のラダー型弾性表面波フィルタでは、入力端の最も近くに直列腕がある。これらの直列腕および並列腕の各弾性表面波共振子が、複数の電極指を持った電極の対を有している。
【０００８】
本発明の目的は、１．５ＧＨｚ帯のような高い周波数帯において耐電力性の高い弾性表面波デバイスを提供することである。
【０００９】
【課題を解決するための手段】
上記目的を達成するために、本発明の弾性表面波デバイスは、直列腕および並列腕からなるラダー型の弾性表面波デバイスであって、
複数の一端子対弾性表面波共振子が直列に接続された共振子群が複数個並列に接続された構成であり、入力端子に最も近い並列腕として配置された第１の腕と、
単一の一端子対弾性表面波共振子からなり、前記第１の腕により構成されている以外の直列腕および並列腕としてそれぞれ配置された第２の腕とを有している。
【００１０】
本発明によれば、弾性表面波デバイスの入力端子に最も近い並列腕は、一端子対弾性表面波共振子が直列、並列に複数接続された構成なので、入力端子と基準電位との間の電力が複数の一端子対弾性表面波共振子に分散され、弾性表面波デバイスは、入力端子と基準電位との間に印加される電力に対する耐性が高い。
【００１１】
本発明の他の弾性表面波デバイスは、直列腕および並列腕からなるラダー型の弾性表面波デバイスであって、
複数の一端子対弾性表面波共振子が直列に接続された共振子群が複数個並列に接続された構成であり、前記各直列腕として配置された、少なくとも１つの第１の腕と、
単一の一端子対弾性表面波共振子からなり、前記第１の腕により構成されている以外の直列腕および並列腕としてそれぞれ配置された第２の腕とを有している。
【００１２】
本発明によれば、弾性表面波デバイスの直列腕は、一端子対弾性表面波共振子が直列、並列に複数接続された構成なので、弾性表面波デバイスは、入力端子と出力端子との間に印加される電力に対する耐性が高い。
【００１３】
本発明の他の弾性表面波デバイスは、直列腕および並列腕からなるラダー型の弾性表面波デバイスであって、
複数の一端子対弾性表面波共振子が直列に接続された共振子群が複数個並列に接続された構成であり、入力端子に最も近い並列腕と、前記各直列腕として配置された、少なくとも２つの第１の腕と、
単一の一端子対弾性表面波共振子からなり、前記第１の腕により構成されている以外の直列腕および並列腕としてそれぞれ配置された第２の腕とを有している。
【００１４】
本発明によれば、弾性表面波デバイスの直列腕と入力端子に最も近い並列腕とは、一端子対弾性表面波共振子が直列、並列に複数接続された構成なので、弾性表面波デバイスは、入力端子と基準電位との間に印加される電力、または入力端子と出力端子との間に印加される電力に対する耐性が高い。
【００１５】
本発明の他の弾性表面波デバイスは、直列腕および並列腕からなるラダー型の弾性表面波デバイスにおいて、
前記直列腕および前記並列腕の全てが、複数の一端子対弾性表面波共振子が直列に接続された共振子群が複数個並列に接続された構成であることを特徴としている。
【００１６】
本発明によれば、弾性表面波デバイスの全ての直列腕および並列腕は、一端子対弾性表面波共振子が直列、並列に複数接続された構成なので、弾性表面波デバイスは、入力端子から印加される電力に対する耐性が高い。
【００１７】
なお、前記第１の腕は、２つの一端子弾性表面波共振子が並列に接続された共振子群が２つ並列に接続された構成であってもよい。
【００１８】
また、前記第１の腕を構成する４つの一端子弾性表面波共振子は同一特性であってもよい。
【００１９】
本発明の他の弾性表面波デバイスは、直列腕および並列腕からなるラダー型の弾性表面波デバイスであって、
複数の一端子対弾性表面波共振子が直列に接続された共振子群が少なくとも１つ並列に接続された構成であり、入力端子に最も近い並列腕として配置された第１の腕と、
単一の一端子対弾性表面波共振子からなり、前記第１の腕により構成されている以外の直列腕および並列腕としてそれぞれ配置された第２の腕とを有している。
【００２０】
本発明の他の弾性表面波デバイスは、直列腕および並列腕からなるラダー型の弾性表面波デバイスであって、
複数の一端子対弾性表面波共振子が直列に接続された共振子群が少なくとも１つ並列に接続された構成であり、前記各直列腕として配置された、少なくとも１つの第１の腕と、
単一の一端子対弾性表面波共振子からなり、前記第１の腕により構成されている以外の直列腕および並列腕としてそれぞれ配置された第２の腕とを有している。
【００２１】
本発明の他の弾性表面波デバイスは、直列腕および並列腕からなるラダー型の弾性表面波デバイスであって、
複数の一端子対弾性表面波共振子が直列に接続された共振子群が少なくとも１つ並列に接続された構成であり、入力端子に最も近い並列腕と、前記各直列腕として配置された、少なくとも２つの第１の腕と、
単一の一端子対弾性表面波共振子からなり、前記第１の腕により構成されている以外の直列腕および並列腕としてそれぞれ配置された第２の腕とを有している。
【００２２】
本発明の他の弾性表面波デバイスは、直列腕および並列腕からなるラダー型の弾性表面波デバイスにおいて、
前記直列腕および前記並列腕の全てが、複数の一端子対弾性表面波共振子が直列に接続された共振子群が少なくとも１つ並列に接続された構成であることを特徴としている。
【００２３】
なお、前記並列腕の反共振周波数と前記直列腕の共振周波数とが一致していてもよい。
【００２４】
【発明の実施の形態】
本発明の一実施形態について図面を参照して詳細に説明する。
【００２５】
図１は、本実施形態の移動体通信端末のＲＦ部の構成を示すブロック図である。図１を参照すると、移動体通信端末１０は、アンテナ１１、弾性表面波分波器１２、受信部１３、送信部１４、発振器１５および分配部１６を有している。
【００２６】
弾性表面波分波器１２は、周波数により信号を分離する機能を有し、本発明に特徴的な弾性表面波デバイスである。弾性表面波分波器１２の内部には受信フィルタ１７と送信フィルタ１８の２つのフィルタがある。弾性表面波分波器１２は、アンテナ１１からの受信信号を受信フィルタ１７を介して受信部１３に送り、送信部１４からの送信信号を送信フィルタ１８を介してアンテナ１１に送る。
【００２７】
一般に、無線通信装置のＲＦ部では、受信信号よりも送信信号の方が電力が大きいので、受信フィルタ１７および送信フィルタ１８は、いずれも送信信号に対する耐電力性が要求される。
【００２８】
受信部１３は、低雑音増幅器（ＬＮＡ）、弾性表面波フィルタ（ＳＡＷ）、乗算器（ＭＩＸ）、ＩＦ弾性表面波フィルタ（ＩＦ−ＳＡＷ）などを含み、アンテナ１１により受信されて弾性表面波分波器１２により分離された受信信号をＩＦ帯の信号に変換する。
【００２９】
送信部１４は、乗算器、弾性表面波フィルタ、パワーアンプ（ＰＡ）などを含み、ＩＦ帯の送信信号をＲＦ帯に変換して弾性表面波分波器１２に送る。
【００３０】
発振器１５は、ＲＦ周波数で発振する。分配器１６は、発振器１５からの発振信号を受信部１３および送信部１４に分配する。
【００３１】
図２は、本実施形態の弾性表面波分波器１２に用いられている一端子対弾性表面波共振子の構造例を示す図である。図２を参照すると、一端子対弾性表面波共振子（一端子対ＳＡＷ共振子）２０は、励振電極２１、２２および反射器２３、２４を有している。
【００３２】
励振電極２１、２２はそれぞれ複数の電極指２５を有するくし型形状である。励振電極２１と励振電極２２は、電極指２５を互いに入り組ませるようにして対向している。反射器２３、２４は励振電極２１、２２の両側に配置されている。
【００３３】
図３は、図２の一端子対ＳＡＷ共振子２０の等価回路である。図４は、図２の一端子対ＳＡＷ共振子２０の記号を示す図である。
【００３４】
図５は、本実施形態の受信フィルタ１７の構成を示す図である。図５を参照すると、受信フィルタ１７は、直列腕Ｓ５１、Ｓ５２および並列腕Ｐ５１、Ｐ５２、Ｐ５３を有している。
【００３５】
直列腕Ｓ５１、Ｓ５２は、入力端子と出力端子の間に、その順序で直列に配置されている。並列腕Ｐ５１は、入力端子と基準電位の間に配置されている。並列腕Ｐ５２は、直列腕Ｓ５１および直列腕Ｓ５２の接続点と基準電位との間の配置されている。並列腕Ｐ５３は、出力端子と基準電位との間に配置されている。
【００３６】
直列腕Ｓ５１、Ｓ５２および並列腕Ｐ５２、Ｐ５３は、それぞれが単独の一端子対ＳＡＷ共振子である。並列腕Ｐ５１は、２つの一端子対ＳＡＷ共振子が直列に接続され、さらにそれが２つ並列に接続された構成である。
【００３７】
本実施形態の受信フィルタ１７は、図１９（ａ）に示された従来のラダー型弾性表面波フィルタの並列腕Ｐａ１を並列腕Ｐ５１に置き換えたものである。本実施形態では、一例として、並列腕Ｐ５１を構成する各一端子対ＳＡＷ共振子は、従来の並列腕Ｐａ１と同じものである。したがって、本実施形態の並列腕Ｐ５１の特性は、従来の並列腕Ｐａ１の特性とほぼ一致している。ただし、本発明はこれに限定されるものではなく、所望の特性を有する並列腕Ｐ５１を構成できる範囲で、各一端子対ＳＡＷ共振子の構造および特性は自由に選択できる。
【００３８】
図６は、本実施形態の送信フィルタ１８の構成を示す図である。図６を参照すると、送信フィルタ１８は、直列腕Ｓ６１、Ｓ６２、Ｓ６３および並列腕Ｐ６１、Ｐ６２を有している。
【００３９】
直列腕Ｓ６１、Ｓ６２、Ｓ６３は、入力端子と出力端子の間にその順序で直列に配置されている。並列腕Ｐ６１は、直列腕Ｓ６１および直列腕Ｓ６２の接続点と基準電位との間に配置されている。並列腕Ｐ６２は、直列腕Ｓ６２および直列腕Ｓ６３の接続点と基準電位との間に配置されている。
【００４０】
並列腕Ｐ６１、Ｐ６２はそれぞれが単独の一端子対ＳＡＷ共振子である。直列腕Ｓ６１、Ｓ６２、Ｓ６３は、２つの一端子対ＳＡＷ共振子が直列に接続され、さらにそれが２つ並列に接続された構成である。
【００４１】
本実施形態の送信フィルタ１８は、図１９（ｂ）に示された従来のラダー型弾性表面波フィルタの直列腕Ｓｂ１、Ｓｂ２、Ｓｂ３を、直列腕Ｓ６１、Ｓ６２、Ｓ６３に置き換えたものである。本実施形態では、一例として、直列腕Ｓ６１を構成する各一端子対ＳＡＷ共振子は、従来の直列腕Ｓｂ１と同じものである。また、直列腕Ｓ６２を構成する各一端子対ＳＡＷ共振子は、従来の直列腕Ｓｂ２と同じものである。直列腕Ｓ６３を構成する各一端子対ＳＡＷ共振子は、従来の直列腕Ｓｂ３と同じものである。したがって、本実施形態の直列腕Ｓ６１、Ｓ６２、Ｓ６３の特性は、それぞれ従来の直列腕Ｓｂ１、Ｓｂ２、Ｓｂ３の特性とほぼ一致している。ただし、本発明は、これに限定されるものではなく、所望の特性を有する各直列腕を構成できる範囲で、各一端子対ＳＡＷ共振子の構造および特性は自由に選択できる。
【００４２】
図７は、本実施形態の受信フィルタ１７および送信フィルタ１８の通過特性を示したグラフである。
【００４３】
本実施形態の弾性表面波分波器１２の受信フィルタ１７の動作について説明する。受信フィルタ１７は、アンテナ１１からの受信信号のみをフィルタリングし、その受信信号を受信部１３に送るものである。しかし、送信部１４から送信フィルタ１８を介してアンテナ１１に送られる送信信号の漏れが受信フィルタ１７へ回り込んでくることが考えられる。そのため、受信フィルタ１７には、送信波に対する耐電力性が必要とされる。
【００４４】
受信フィルタ１７に送信信号が入力されると、図７に示された通過特性より、送信信号は、入力端子から出力端子へはほとんど流れず、そのほとんどが並列腕Ｐ５１に印加される。
【００４５】
一般に、分波器において、受信フィルタのインピーダンス特性は送信周波数においてほとんどオープンとなるように設計されている。図８は、本実施形態の受信フィルタ１７のインピーダンス特性を示すスミスチャートである。図８において、送信帯域での特性はマーカー１からマーカー２までに示されている。図８から、送信帯域における受信フィルタ１７のインピーダンスはほとんどオープンとなっていることが分かる。そのため、受信フィルタ１７に送信信号が入力されると、並列腕Ｐ５１は、電流がほとんど流れず、電圧のみが印加された状態となる。
【００４６】
図９は、本実施形態における、並列腕Ｐ５１の各一端子対ＳＡＷ共振子に電圧が印加される様子を示す図である。図９（ａ）は、図１９（ａ）に示された従来の受信フィルタの並列腕Ｐａ１に電圧が印加される様子を示し、図９（ｂ）は、本実施形態の受信フィルタの並列腕Ｐ５１に電圧が印加される様子を示している。
【００４７】
図９を参照すると、本実施形態の受信フィルタ１７は、従来の受信フィルタと比べて、約２倍の電圧を印加されることができることが分かる。したがって、耐電力性が約３ｄＢｍ改善されていることになる。
【００４８】
本実施形態の弾性表面波分波器１２の送信フィルタ１８の動作について説明する。送信フィルタ１８は、送信部１４からの送信信号をフィルタリングし、その送信信号をアンテナ１１に送るものである。したがって、送信フィルタ１８には、送信波に対する耐電力性が要求される。
【００４９】
送信フィルタ１８に送信信号が入力されると、図７に示された通過特性より、送信信号はほとんどが入力端子から出力端子へ流れる。また、一般に、分波器の送信フィルタは、インピーダンス特性が、送信周波数において、ほぼ５０Ωとなるように設計されている。図１０は、本実施形態の送信フィルタ１８のインピーダンス特性を示すスミスチャートである。図１０において、送信帯域での特性はマーカー１からマーカー２までに示されている。図１０から、送信帯域における送信フィルタ１８のインピーダンスはほぼ５０Ω（図中では「１」）となっていることが分かる。そのため、送信フィルタ１８に送信信号が入力されると、電流および電圧はほとんどが直列腕Ｓ６１、Ｓ６２、Ｓ６３に印加される。
【００５０】
図１１は、本実施形態における、直列腕Ｓ６１の各一端子対ＳＡＷ共振子に電圧が印加される様子を示す図である。図１１（ａ）は、図１９（ｂ）に示された従来の送信フィルタの直列腕Ｓｂ１に送信信号が流れる様子を示し、図１１（ｂ）は、本実施形態の送信フィルタの直列腕Ｓ６１に送信信号が流れる様子を示している。
【００５１】
図１１を参照すると、本実施形態の送信フィルタ１８は、従来の送信フィルタと比べて、約２倍の電流および約２倍の電圧を印加されることができるため、約４倍の電力を印加されることができることが分かる。したがって、耐電力性が約６ｄＢｍ改善されていることになる。
【００５２】
以上説明したように、本実施形態の弾性表面波分波器１２は、受信フィルタ１７および送信フィルタ１８の双方において、送信信号が印加される部分の共振子の耐電力性が向上しているので、１．５ＧＨｚ帯のような高い周波数帯においても故障が起こり難く、それを用いた高い周波数帯の移動体通信端末は、小型化され、かつ故障が起こりにくい。
【００５３】
図１２は、図５に示された本実施形態の受信フィルタ、および図１９に示された従来の受信フィルタに、送信帯域の信号を印加したときのデバイスの寿命を測定した結果を示す図である。図１２から、図５の受信フィルタ１７は、図１９のものと比べて、耐電力性が約２ｄＢｍ向上しており、また、同じ使用条件では寿命が長いことが分かる。
【００５４】
なお、本実施形態において、弾性表面波分波器１２の受信フィルタ１７は、一例として図５に示されたように、入力端子および出力端子に直列腕および並列腕が接続されている構成としたが、図１３のような構成であってもよい。
【００５５】
また、本実施形態において、弾性表面波分波器１２の送信フィルタ１８は、一例として、図６に示されたように、入力端子および出力端子に直列腕のみが接続されている構成としたが、図１４のような構成であってもよい。
【００５６】
また、ラダー型弾性表面波フィルタにおいて、図１５および図１６に示すように、全ての直列腕と、入力端に最も近い並列腕を、２つの一端子対ＳＡＷ共振子が直列接続され、さらにそれが２つ並列に接続された構成としてもよい。
【００５７】
また、本発明のラダー型弾性表面波フィルタにおいて、図１７および図１８に示すように、全ての直列腕および並列腕を、２つの一端子対ＳＡＷ共振子が直列接続され、さらにそれが２つ並列に接続された構成としてもよい。
【００５８】
また、本発明のラダー型弾性表面波フィルタは、並列腕の反共振周波数と、直列腕の共振周波数を略一致させ、通過帯域における挿入損失を低減してもよい。
【００５９】
【発明の効果】
本発明によれば、弾性表面波デバイスの入力端子に最も近い並列腕は、一端子対弾性表面波共振子が直列、並列に複数接続された構成なので、弾性表面波デバイスは、入力端子と基準電位との間に印加される電力に対する耐性が高く、高周波数のため電極指が微細であっても故障しにくい。
【００６０】
また、弾性表面波デバイスの直列腕は、一端子対弾性表面波共振子が直列、並列に複数接続された構成なので、弾性表面波デバイスは、入力端子と出力端子との間に印加される電力に対する耐性が高く、高周波数のため電極指が微細であっても故障しにくい。
【００６１】
また、弾性表面波デバイスの直列腕と入力端子に最も近い並列腕とは、一端子対弾性表面波共振子が直列、並列に複数接続された構成なので、弾性表面波デバイスは、入力端子と基準電位との間に印加される電力、または入力端子と出力端子との間に印加される電力に対する耐性が高く、高周波数のため電極指が微細であっても故障しにくい。
【００６２】
また、弾性表面波デバイスの全ての直列腕および並列腕は、一端子対弾性表面波共振子が直列、並列に複数接続された構成なので、弾性表面波デバイスは、入力端子から印加される電力に対する耐性が高く、高周波数のため電極指が微細であっても故障しにくい。
【図面の簡単な説明】
【図１】本発明の一実施形態の移動体通信端末のＲＦ部の構成を示すブロック図である。
【図２】本実施形態の弾性表面波分波器に用いられている一端子対弾性表面波共振子の構造例を示す図である。
【図３】図２の一端子対ＳＡＷ共振子の等価回路である。
【図４】図２の一端子対ＳＡＷ共振子の記号を示す図である。
【図５】本実施形態の受信フィルタ１７の構成を示す図である。
【図６】本実施形態の送信フィルタの構成を示す図である。
【図７】本実施形態の受信フィルタおよび送信フィルタの通過特性を示したグラフである。
【図８】本実施形態の受信フィルタのインピーダンス特性を示すスミスチャートである。
【図９】本実施形態における、並列腕の各一端子対ＳＡＷ共振子に電圧が印加される様子を示す図である。
【図１０】本実施形態の送信フィルタのインピーダンス特性を示すスミスチャートである。
【図１１】本実施形態における、直列腕の各一端子対ＳＡＷ共振子に電圧が印加される様子を示す図である。
【図１２】図５に示された本実施形態の受信フィルタ、および図１９に示された従来の受信フィルタに、送信帯域の信号を印加したときのデバイスの寿命を測定した結果を示す図である。
【図１３】入力端子および出力端子に直列腕のみが接続されている受信フィルタの構成例を示す図である。
【図１４】入力端子および出力端子に直列腕および並列腕が接続されている送信フィルタの構成例を示す図である。
【図１５】入力端子および出力端子に直列腕および並列腕が接続されており、直列腕および最初の並列腕が、複数の一端子対弾性表面波共振子が直列、並列に接続された構成のラダー型弾性表面波フィルタの構成例を示す図である。
【図１６】入力端子および出力端子に直列腕のみが接続されており、直列腕および最初の並列腕が、複数の一端子対弾性表面波共振子が直列、並列に接続された構成のラダー型弾性表面波フィルタの構成例を示す図である。
【図１７】入力端子および出力端子に直列腕および並列腕が接続されており、全ての直列腕および並列腕が、複数の一端子対弾性表面波共振子が直列、並列に接続された構成のラダー型弾性表面波フィルタの構成例を示す図である。
【図１８】入力端子および出力端子に直列腕のみが接続されており、全ての直列腕および並列腕が、複数の一端子対弾性表面波共振子が直列、並列に接続された構成のラダー型弾性表面波フィルタの構成例を示す図である。
【図１９】従来のラダー型表面弾性波フィルタの構成例を示す回路図である。
【符号の説明】
１０    移動体通信端末
１１    アンテナ
１２    弾性表面波分波器
１３    受信部
１４    送信部
１５    発振器
１６    分配部
１７    受信フィルタ
１８    送信フィルタ
２０    一端子対弾性表面波共振
２１、２２    励振電極
２３、２４    反射器
２５    電極指
Ｓ５１、Ｓ５２、Ｓ６１、Ｓ６２、Ｓ６３、Ｓ１３１、Ｓ１３２、Ｓ１３３、Ｓ１４１、Ｓ１４２    直列腕
Ｐ５１、Ｐ５２、Ｐ５３、Ｐ６１、Ｐ６２、Ｐ１３１、Ｐ１３２、Ｐ１４１、Ｐ１４２、Ｐ１４３    並列腕
【図１】
0004030795.tif 000002
【図２】
0004030795.tif 000003
【図３】
0004030795.tif 000004
【図４】
0004030795.tif 000005
【図５】
0004030795.tif 000006
【図６】
0004030795.tif 000007
【図７】
0004030795.tif 000008
【図８】
0004030795.tif 000009
【図９】
0004030795.tif 000010
【図１０】
0004030795.tif 000011
【図１１】
0004030795.tif 000012
【図１２】
0004030795.tif 000013
【図１３】
0004030795.tif 000014
【図１４】
0004030795.tif 000015
【図１５】
0004030795.tif 000016
【図１６】
0004030795.tif 000017
【図１７】
0004030795.tif 000018
【図１８】
0004030795.tif 000019
【図１９】
0004030795.tif 000020